(57)【要約】【課題】一年中快適に使用することができ、また、身体の経絡の施術点である経穴をピンポイントで温熱刺激を与え夏場でも快適に施術できる温灸器を提供することを課題とする。【解決手段】可撓性を有する断熱マット材、電熱マット材、流動体を封入したシート状袋体を順じ積層して一体化された積層マットを構成し、前記積層マット上面の所定の箇所には、積層マット内に取付けられ通電により発熱するヒータを熱源とする取付け取外し可能な導熱材を、積層マット上面から僅かに突出するように複数配置した。【選択図】図１
2011212374.tif 000002
【特許請求の範囲】
【請求項１】
可撓性を有する断熱マット材、電熱マット材、流動体を封入したシート状袋体を順じ積層して一体化された積層マットを構成し、前記積層マット上面の所定の箇所には、積層マット内で通電して発熱するヒータを熱源とする取付け取外し可能な導熱材を、積層マット上面から僅かに突出するように複数配置してなることを特徴とする温灸器。
【請求項２】
前記流動体は、ジェル状、ゾル状、あるいは液状であることを特徴とする請求項１に記載の温灸器。
【請求項３】
前記導熱材は、頭部を略半球状に成形された略ボルト形状からなることを特徴とする請求項１又は２に記載の温灸器。
【請求項４】
前記導熱材は、その軸部を前記積層マット上面から下面方向へ貫通させて取付け固定し、導熱材の熱源となる前記ヒータを前記断熱マット材の位置する層にて前記導熱材の軸部の一部に取付けたことを特徴とする請求項１又は３に記載の温灸器。
【請求項５】
前記導熱材は、その軸部を前記積層マット上面から下面方向へ貫通させて取付け固定し、前記導熱材の熱源となる前記ヒータを前記軸部内部に取付けたことを特徴とする請求項１から３のいずれか１つに記載の温灸器。
【請求項６】
前記ヒータは、ＰＴＣサーミスタヒータであることを特徴とする請求項１から５のいずれか１つに記載の温灸器。
【請求項７】
前記導熱材の内部に、磁石を埋込んだことを特徴とする請求項１から６のいずれか１つに記載の温灸器。
【請求項８】
前記導熱材の内部に、艾を埋込んだことを特徴とする請求項１から４若しくは６のいずれか１つに記載の温灸器。
【請求項９】
前記導熱材は、その頭部から螺子先に掛けて、その軸体内を筒状に貫通するように中空に成形したことを特徴とする請求項１から８のいずれか１つに記載の温灸器。
【発明の詳細な説明】
【技術分野】
【０００１】
本発明は、広くは保健用医療機器に関するものであり、特に温灸器に関するものである。
【背景技術】
【０００２】
温灸器は、艾（もぐさ）やヒータ利用して身体の経絡の施術点である経穴（つぼ）と呼ばれる体の特定部位に対して温熱刺激を与え血行を促進し、病気や肩こり、腰痛などを軽減する器械である。
【０００３】
そして一般に市販されている温灸器の多くは、このように艾（もぐさ）やヒータの熱を利用するものである為、夏場の暑い時期には使用頻度が減り、冬場に増えるという傾向がある。
【０００４】
そこで、夏場には高温になりにくい艾を用いて、ヒータの温度を低めに設定してながら使用するケースもあるが、特許文献１に開示されているように、ヒータ上部に艾袋（シート）を重ね合わせ使用する温灸器マットの場合においては、熱はマット全体に広がるため暑さを軽減する効果は少ない。
【特許文献１】特開平６−２９６６５８
【発明の概要】
【発明が解決しようとする課題】
【０００５】
そこで、本願発明はこれらの問題点を解決し、一年中快適に使用することができ、また、身体の経絡の施術点である経穴をピンポイントで温熱刺激を与え夏場でも快適に施術できる温灸器を提供することを課題とするものである。
【課題を解決するための手段】
【０００６】
上記の課題を解決するために、本発明の温灸器は、可撓性を有する断熱マット材、電熱マット材、流動体を封入したシート状袋体を順じ積層して一体化された積層マットを構成し、前記積層マット上面の所定の箇所には、積層マット内に取付けられ通電により発熱するヒータを熱源とする取付け取外し可能な導熱材を、積層マット上面から僅かに突出するように複数配置されている（請求項１）。
【０００７】
前記流動体は、ジェル状、ゾル状、あるいは液状であって（請求項２）、前記導熱材は、頭部を略半球状に成形された略ボルト形状からなっている（請求項３）。
【０００８】
導熱材は、その軸部を前記積層マット上面から下面方向へ貫通させて取付け、前記導熱材の熱源となるヒータを前記断熱マット材の位置する層にて前記導熱材の軸部の一部に取付けられている（請求項４）。なお、前記ヒータは、ＰＴＣサーミスタヒータである（請求項６）。
【０００９】
また、前記ヒータを前記導熱材の軸部内部に取付けることも可能である（請求項５）。
【００１０】
前記導熱材の内部に磁石又は艾を埋込んだ（請求項７、８）。
【００１１】
また、前記導熱材は、その頭部から螺子先に掛けて、その軸体内を筒状に貫通するように中空に成形した（請求項９）。
【発明の効果】
【００１２】
本発明によれば、時期を選ぶことなく一年間を通して熱灸施術をすることが可能であって、特に夏季期間においては、身体の経絡の施術点である経穴をピンポイントで温熱刺激を与えることができるため、快適に施術を行うことができる。
【図面の簡単な説明】
【００１３】
【図１】本発明の温灸器１を構成する積層マット２と導熱材３の構成を示す縦断面図である。
【図２】本発明の温灸器１の（ａ）平面図及び（ｂ）側面図である。
【図３】ヒータ部５（ＰＴＣサーミスタ）の（ａ）正面図及び（ｂ）側面図である。
【図４】導熱材３の中空３１内へ挿入される、磁石７ａ或いは艾カートリッジ７ｂの挿入関係を示した縦断面図である。
【図５】導熱材３の軸部内部に取付けられたヒータ部５を示す縦断面図。
【図６】本発明の温灸器１の使用形態を示す斜視図である。
【発明を実施するための形態】
【００１４】
以下に、本発明の温灸器１に関し、図面を参照しつつその構成と使用方法について詳述する。
【実施例】
【００１５】
（本発明の構成）
【００１６】
（１）積層マット２の構成
本発明の積層マット２は、図１に示すように長方形状からなる可撓性を有する断熱マット材２３と電熱マット材２２と流動体を封入したシート状袋体２１とを順次積層して一体化し構成されている。
【００１７】
ここで断熱マット材２３には、発砲ウレタン、ロックウール、グラスウール、アルミシート、ポリエチレン等を素材にしたものが使用される。
【００１８】
電熱マット材２２のヒータ２２ａについては、コードヒータ、リボンヒータ、遠赤外線ヒータなどが使用される。
【００１９】
流動体を封入したシート状袋体２１には、まず流動体として、ジェル状、ゲル状、ゾル状、あるいは液状のものが挙げられ、これら流動体を樹脂コーティングあるいはポリエステルからなるシートあるいはマットに封入されている。
【００２０】
（２）灸材にあたる導熱材３の構成
図１に示すように導熱材３の形状はボルト状をなし、頭部は略半球状に成形されている。
【００２１】
ここで、図５に示すように導熱材３の頭部略半球部に水平な切込み３ａを入れ、表面積を増やすことで放熱効果を高め、温度調節器などにより指定された温度変更に対し迅速な対応が可能となる。
【００２２】
導熱材３の材質として、熱伝導率の高い金属やセラミックス、熱硬化性樹脂等を用いるのが好ましいが、これに限定されるものではない。
【００２３】
また、導熱材３の全長は、積層マット２の厚みによって適宜選択することができる。
【００２４】
更に、図１に示すように、導熱材３の頭部から螺子先に掛けて、その軸体内を筒状に貫通するように中空３１に成形されている。
【００２５】
このように中空３１成形することで、灸施術中の通気性が良くし、施術中の身体のムレやカブレを防止することができる効果がある。
【００２６】
また、筒状に成形された中空３１内には、中空３１内の形状と同様に成形された磁石７ａや、艾に硬化剤等などを混ぜて成形された艾カートリッジ７ｂを挿入し埋め込むことで、磁器治療器や艾を使った温灸器としても使用できる。
【００２７】
ここで筒状に成形された磁石７ａや艾カートリッジ７ｂについても、その中心部を貫通するように中空構造にすることで通気を確保できる。
【００２８】
なお、導熱材３の中空３１内の軸体中央付近に段差３２が設けられているが、この段差３２は図４に示すように、磁石７ａや艾カートリッジ７ｂを、この中空３１内に挿入した際に、下方へ抜け落ちないために段差３２を成形したものである。
【００２９】
（３）積層マット２と導熱材３の構成
図３に示されるように、積層マット２上面の所定の箇所には、積層マット２上面側から下面側へ向けて導熱材３の軸部を貫通させる成形孔（図示せず）が設けられている。
【００３０】
この孔には、導熱材３の軸部を通して積層マット２下面側に貫通させ、積層マット２下面より突出した軸部にナット４を通し螺子止めし、導熱材３と積層マット２と固定する。
【００３１】
いずれにせよ導熱材３と積層マット２はナットにより固定されているため、これらは取付け取外が容易に可能となる。
【００３２】
例えば、より熱伝導効率の高い導熱材３を選択する場合、または熱伝導効率の低い導熱材３を選択する場合は、導熱材３のみ積層マット２から取外し交換すれば足り作業が容易である。
【００３３】
ところで、図２の（ａ）（ｂ）に示されるように、積層マット２面上には導熱材３と並ぶようにしてホック６が取付けられているが、これは積層マット２を構成する、断熱マット材２３と電熱マット材２２と流動体を封入したシート状袋体２１を一体的に固定するため両面方向から前記のような成形孔を積層マット２面上に設けホック６を孔へ差込み固定されている。
【００３４】
なお、図２の（ａ）（ｂ）にて示される積層マット２に取付けられる導熱材３及びホック６の個数または配置構成は、これに限定されるものではない。
【００３５】
（４）灸の効力を有する導熱材３の熱源(ヒータ部５)の構成
図１に示すように通電により発熱するヒータを熱源とする導熱材３のヒータ部５は、積層マット２の一部を構成する断熱マット材２３の層の内部に、前記導熱材３の軸部の一部に取付けられる。
【００３６】
具体的には、図４に示すようにヒータ部５は導熱材３の軸部が貫通可能なようにリング状に成形されており、そのリングの中を導熱材３の軸部を挿入し、前記ヒータ部５は断熱マット材２３の内部にて固定され保持されている。
【００３７】
また、図５に示すように、ヒータ部５を前記導熱材３の軸部内部に取付け一体化することで、積層マット２への導熱材３の取付けが簡便となるとともに、ヒータ５を交換する際は導熱材３を積層マット２から取外だけで足りるので交換作業も複雑とはならない。
【００３８】
なお、前記ヒータ部５には、ＰＴＣサーミスタを使用したヒータを用いるのがよい。
【００３９】
ＰＴＣサーミスタを用いることで、ヒータの温度を一定又は温度調節器により指定された温度調節管理をすることができるので、より一層効果的に灸施術を行うことができる。
【００４０】
（本発明の使用方法）
【００４１】
次に、本発明の使用方法について述べる。
【００４２】
なお、図５には本発明である温灸器１の使用の実施例が示されているが、使用形態はこれに限定されるものではない。
【００４３】
（１）夏季期間
夏季は電熱マット材２２のヒータの電源をオフとすることで、電熱マット材２２上部に積層された流動体を封入したシート状袋体２１には、電熱マット材２２のヒータの熱によって温められることはないので、流動体を封入したシート状袋体２１は冷却マットとしての効果を奏し、導熱材３のみを加熱させることで身体の経絡の施術点である経穴のみをピンポイントで温熱刺激を与え、夏場の暑い時期にも快適に施術できる。
【００４４】
なお、導熱材３を加熱しなければ、本発明の温灸器１は単に冷却マットとしても使用できる。
【００４５】
（２）冬季期間
冬季は電熱マット材２２のヒータは通電をオンとすることで、電熱マット材２２上部に積層された流動体を封入したシート状袋体２１には、電熱マット材２２のヒータの熱が伝わり、流動体を封入したシート状袋体２１は温熱マットとしての効果を奏し、導熱材３も加熱させることで身体の経絡の施術点である経穴のみをピンポイントで温熱刺激を与え、冬場の寒い時期にも快適に施術できる。
【００４６】
なお、導熱材３を加熱しなければ、本発明の温灸器１は単に温熱マットとしても使用できる。
【符号の説明】
【００４７】
１          温灸器本体
２          積層マット
２１        流動体を封入したシート状袋体
２２        電熱マット材
２２ａ      ヒータ
２３        断熱マット材
３          導熱材
３ａ        切込み
３１        中空
３２        段差
４          ナット
５          ヒータ部
５ａ        止め具
６          ホック
７ａ        磁石
７ｂ        艾カートリッジ
【図１】
2011212374.tif 000003
【図２】
2011212374.tif 000004
【図３】
2011212374.tif 000005
【図４】
2011212374.tif 000006
【図５】
2011212374.tif 000007
【図６】
2011212374.tif 000008